(57)【要約】      （修正有）【課題】触感と音で、確実に閉まったかどうかを判断できる密閉袋の外押型音付きチャックを提供する。【解決手段】メス部１とオス部２から構成されるチャック本体４を含む外押型音付きチャックであって、メス部は接続板体１−５と接続板体の一側に接続されるメス部キャビティ１−６とを含み、接続板体の反対側に長手方向に沿って複数の第１の溝１−１が設けられ、メス部キャビティ内に長手方向に沿って複数の第１の凸起１−２が設置され、オス部はオス部接続板体２−４と、オス部接続板を介してオス部に接続される係止ヘッド部２−３とを含み、係止ヘッド部は長手方向に沿って波状であり、係止ヘッド部に複数の第２の溝２−１と、第２の溝に対応する複数の第２の凸起２−２とが形成されている。溝と凸起の構造によって大きさの異なる断続的な反力を与えると同時に、オス部とメス部の間に断続的な音がする。【選択図】図１
0003225400.tif 000002
【実用新案登録請求の範囲】
【請求項１】
メス部（１）とオス部（２）から構成されるチャック本体（４）を含む外押型音付きチャックであって、
前記メス部（１）は接続板体（１−５）と接続板体（１−５）の一側に接続されるメス部キャビティ（１−６）とを含み、接続板体（１−５）の反対側に長手方向に沿って複数の第１の溝（１−１）が設けられ、メス部キャビティ（１−６）内に長手方向に沿って複数の第１の凸起（１−２）が設置され、前記オス部（２）はオス部接続板体（２−４）と、オス部接続板（２−４）を介してオス部に接続される係止ヘッド部（２−３）とを含み、前記係止ヘッド部（２−３）は長手方向に沿って波状であり、係止ヘッド部（２−３）に複数の第２の溝（２−１）と、第２の溝（２−１）に対応する複数の第２の凸起（２−２）とが形成されていることを特徴とする外押型音付きチャック。
【請求項２】
袋体（３）の開口部に取り付けられる、請求項１に記載の外押型音付きチャックを含むことを特徴とする密閉袋。
【請求項３】
前記密閉袋はさらにチャックストリップ（５）を含み、前記チャックストリップ（５）は凹部（５−１）と凸部（５−２）を含み、前記チャックストリップ（５）はチャック本体（４）と平行することを特徴とする請求項２に記載の密閉袋。
【請求項４】
前記袋体（３）の開口部にチャックストリップ（５）とチャック本体（４）を上から下まで平行に設置し、又は前記前記袋体（３）の開口部にチャック本体（４）とチャックストリップ（５）を上から下まで平行に設置することを特徴とする請求項３に記載の密閉袋。
【請求項５】
前記凸部（５−２）の上部に長手方向に沿って波状を呈しており、前記凸部（５−２）のヘッド部に複数の第３の凸起（５−２−１）が設けられ、前記凸部（５−２）の側面に複数の第４の凸起（５−２−２）が設けられていることを特徴とする請求項４に記載の密閉袋。
【考案の詳細な説明】
【技術分野】
【０００１】
本考案は収納容器技術分野に関し、具体的に外押型音付きチャック及び密閉袋に関する。
【背景技術】
【０００２】
日常生活の様々な場面において、人々はビニール袋を使用する必要がある。ブラスチック袋の開口を密閉することは内容物の保鮮、防湿、酸化防止などを実現する。プラスチック袋の開口を密閉するための市販装置には主にプラスチッククリップやチャックなどがある。
【０００３】
現在使用しているチャックは、凹部と凸部の嵌合式密閉構造を採用し、凹部と凸部を外力で嵌合させる瞬間に、凸部を凹部に嵌める時に音がするが、凹部と凸部が結合した後、外力でチャック方向に沿って移動しながらチャックを閉鎖する時、凹部と凸部から音がせず、チャック付き袋の口の閉鎖を確認しにくくなる。
【考案の概要】
【考案が解決しようとする課題】
【０００４】
本考案は上記の密閉袋を閉める時にチャックを確実に閉めるかどうかを感じられないという問題を考慮し、外押型音付きチャック及び密閉袋を提供する。
【課題を解決するための手段】
【０００５】
本考案で上記の技術的課題を解決するための技術的解決手段は、外押型音付きチャックはメス部とオス部から構成されるチャック本体を含み、前記メス部は接続板体と接続板体の一側に接続されるメス部キャビティとを含み、接続板体の反対側に長手方向に沿って複数の第１の溝が設けられ、メス部キャビティ内に長手方向に沿って複数の第１の凸起が設置され、前記オス部はオス部接続板体と、オス部接続板を介してオス部に接続される係止ヘッド部とを含み、前記係止ヘッド部は長手方向に沿って波状であり、係止ヘッド部に複数の第２の溝と、第２の溝に対応する複数の第２の凸起とが形成されていることである。
【０００６】
本考案の有益な効果は、本考案ではメス部とオス部に相互嵌合する第１の凸起と第２の溝をそれぞれ設置し、同時にオス部係止ヘッド部の側面に複数の凸起が形成され、外力をチャック方向に沿って移動する時に、溝と凸起の構造によってユーザーに大きさの異なる断続的な反力を与えると同時に、オス部とメス部の間に断続的な音がするため、ユーザーが触感と音でチャックを確実に閉めるかどうかを判断することができる。
【０００７】
上記の技術的解決手段の上で、本考案は使用の利便性及び設備の安定性のため、上記の技術的解決手段を次のように改善することができる。
【０００８】
さらに、外押型音付きチャックを袋体の開口部に取り付ける。チャックを袋体の開口部に取付けることは人の使用習慣と一致し、操作しやすい。
【０００９】
前記密閉袋はさらにチャックストリップを含み、前記チャックストリップは凹部と凸部を含み、前記チャックストリップはチャック本体と平行する。外押型音付きチャックは場合によって一般チャックと組み合わせて使用することができる。
【００１０】
前記袋体の開口部にチャックストリップとチャック本体を上から下まで平行に設置し、又は前記前記袋体の開口部にチャック本体とチャックストリップを上から下まで平行に設置する。場合によって２箇所の異なる取付位置で設置することができる。
【００１１】
前記凸部の上部に長手方向に沿って波状を呈しており、前記凸部のヘッド部に複数の第３の凸起が設けられ、前記凸部の側面に複数の第４の凸起が設けられている。
【００１２】
上記の更なる技術的解決手段を使用する時の有益効果は、密閉袋の開口部にチャック構造を取付けることで、チャックの音と手の触感で密閉袋を確実に閉めるかどうかを判断し、構造がシンプルで、操作しやすいことである。
【図面の簡単な説明】
【００１３】
【図１】本考案に係る外押型音付きチャックの構造を示す図である。
【図２】本考案に係るオス部とメス部の嵌合を示す図である。
【図３】本考案に係る密閉袋の構造を示す図である。
【図４】本考案の実施形態２の構造を示す図である。
【考案を実施するための形態】
【００１４】
以下、図面に従って本考案の原理と特徴を説明し、挙げられる実施形態は本考案を解釈することに過ぎず、本考案の範囲を限定するものではない。
【００１５】
図１〜図４に示すように、一実施形態において、外押型音付きチャックはメス部（１）とオス部（２）から構成されるチャック本体（４）を含み、前記メス部（１）は接続板体（１−５）と接続板体（１−５）の一側に接続されるメス部キャビティ（１−６）とを含み、接続板体（１−５）の反対側に長手方向に沿って複数の第１の溝（１−１）が設けられ、メス部キャビティ（１−６）内に長手方向に沿って複数の第１の凸起（１−２）が設置され、前記オス部（２）はオス部接続板体（２−４）と、オス部接続板（２−４）を介してオス部に接続される係止ヘッド部（２−３）とを含み、前記係止ヘッド部（２−３）は長手方向に沿って波状であり、係止ヘッド部（２−３）に複数の第２の溝（２−１）と、第２の溝（２−１）に対応する複数の第２の凸起（２−２）とが形成されている。
【００１６】
外押型音付きチャックを袋体（３）の開口部に取付ける。
【００１７】
前記密閉袋はさらにチャックストリップ（５）を含み、前記チャックストリップ（５）は凹部（５−１）と凸部（５−２）を含み、前記チャックストリップ（５）はチャック本体（４）と平行する。
【００１８】
前記袋体（３）の開口部にチャックストリップ（５）とチャック本体（４）を上から下まで平行に設置し、又は前記前記袋体（３）の開口部にチャック本体（４）とチャックストリップ（５）を上から下まで平行に設置する。
【００１９】
前記凸部（５−２）の上部に長手方向に沿って波状を呈しており、前記凸部（５−２）のヘッド部に複数の第３の凸起（５−２−１）が設けられ、前記凸部（５−２）の側面に複数の第４の凸起（５−２−２）が設けられている。
【００２０】
以上、本考案の好適な実施形態に過ぎず、本考案を限定するものではない。本考案の精神と原則を逸脱しない範囲において行われる修正、均等置換、改良などはすべて、本考案の保護範囲に含まれる。
【符号の説明】
【００２１】
１        メス部  
１−１    第１の溝  
１−２    第１の凸起  
１−３    把持アーム  
１−４    フック  
１−５    接続板体  
１−６    メス部キャビティ  
２        オス部  
２−１    第２の溝  
２−２    第２の凸起  
２−３    係止ヘッド部  
２−４    オス部接続板体  
３        袋体  
４        チャック本体  
５        チャックストリップ  
５−１    凹部  
５−２    凸部  
５−２−１  第３の凸起  
５−２−２  第４の凸起
【図１】
0003225400.tif 000003
【図２】
0003225400.tif 000004
【図３】
0003225400.tif 000005
【図４】
0003225400.tif 000006
【手続補正書】
【提出日】令和1年12月25日(2019.12.25)
【手続補正１】
【補正対象書類名】実用新案登録請求の範囲
【補正対象項目名】全文
【補正方法】変更
【補正の内容】
【実用新案登録請求の範囲】
【請求項１】
メス部（１）とオス部（２）から構成されるチャック本体（４）を含む外押型音付きチャックであって、
前記メス部（１）は接続板体（１−５）と接続板体（１−５）の一側に接続されるメス部キャビティ（１−６）とを含み、接続板体（１−５）の反対側に長手方向に沿って複数の第１の溝（１−１）が設けられ、メス部キャビティ（１−６）内に長手方向に沿って複数の第１の凸起（１−２）が設置され、前記オス部（２）はオス部接続板体（２−４）と、オス部接続板（２−４）を介してオス部に接続される係止ヘッド部（２−３）とを含み、前記係止ヘッド部（２−３）は長手方向に沿って波状であり、係止ヘッド部（２−３）に複数の第２の溝（２−１）と、第２の溝（２−１）に対応する複数の第２の凸起（２−２）とが形成されていることを特徴とする外押型音付きチャック。
【請求項２】
袋体（３）の開口部に取り付けられる、請求項１に記載の外押型音付きチャックを含むことを特徴とする密閉袋。
【請求項３】
前記密閉袋はさらにチャックストリップ（５）を含み、前記チャックストリップ（５）は凹部（５−１）と凸部（５−２）を含み、前記チャックストリップ（５）はチャック本体（４）と平行することを特徴とする請求項２に記載の密閉袋。
【請求項４】
前記袋体（３）の開口部にチャックストリップ（５）とチャック本体（４）を上から下まで平行に設置し、又は前記袋体（３）の開口部にチャック本体（４）とチャックストリップ（５）を上から下まで平行に設置することを特徴とする請求項３に記載の密閉袋。
【請求項５】
前記凸部（５−２）の上部に長手方向に沿って波状を呈しており、前記凸部（５−２）のヘッド部に複数の第３の凸起（５−２−１）が設けられ、前記凸部（５−２）の側面に複数の第４の凸起（５−２−２）が設けられていることを特徴とする請求項４に記載の密閉袋。